(57)【要約】      （修正有）【課題】サッシ脱落防止キットを提供する。【解決手段】サッシ脱落防止キット１は、サッシのガイドブロックを収容する収容空間１１を設ける共に、上部一方側に延伸部１２を形成し、該延伸部上端にサッシを取り付けるフレームに係合するフック部材１３を設け、収容空間内に収容したガイドブロックの鎖合孔と対応する孔口１４を設けてこれらを挿通する固定部材によりサッシに固定し、フレームのレールに対してガイドブロックのレール溝と対応する溝を設ける。フック部材内のフレームとの間に設けたパッド１３１及びローラ装置１３２はサッシの移動操作を円滑にし、強風に対してフック部材をフレームにフックしてサッシの脱落を防止する。【選択図】図１
0003217976.tif 000002
【実用新案登録請求の範囲】
【請求項１】
サッシのガイドブロックを収容する収容空間を設ける共に、上部一方側に延伸部を形成し、該延伸部上端にサッシを取り付けるフレームに係合するフック部材を設け、
該収容空間内に収容したガイドブロックの鎖合孔と対応して連通する孔口を設けてサッシに固定可能とした、サッシ脱落防止キット。
【請求項２】
前記サッシ脱落防止キットは、ステンレールで形成された請求項１に記載のサッシ脱落防止キット。
【請求項３】
前記フック部材内のフック部材及び前記フレーム間にパッドを設けた請求項１に記載のサッシ脱落防止キット。
【請求項４】
前記フック部材内のフック部材及び前記フレーム間にローラ装置を設けた請求項１に記載のサッシ脱落防止キット。
【請求項５】
前記サッシ脱落防止キットにガイドブロックのレール溝と互いに対応して収容空間と連通する溝を設けた、請求項１に記載のサッシ脱落防止キット。
【考案の詳細な説明】
【技術分野】
【０００１】
本考案は、アルミサッシの脱落防止用キットに関し、更に具体的には、特に、サッシの気密ブロックに設置されるサッシ脱落防止キットに関する。
【背景技術】
【０００２】
一般のアルミサッシは、風雨をブロックする為に設置されるが、極端な天候、例えば、台風襲来時や風雨共に激しい等の特殊な天候に遭遇すると、しばしば発生する強風によってアルミサッシが吹き落とされ、天気が平穏になった後に家主が屋内の損壊した家具及び物品を交換しなければならないだけではなく、アルミサッシ業者を探し、吹き落とされたサッシを修復する必要があり、このことから分かるように、耐風圧強度が良好でないサッシは、極端な天候で損壊し易く、家主に重大な財物の損失を引き起こす。
【０００３】
これに鑑み、本考案者は、関連分野に長年従事した経験によって前記欠陥に対して深く検討を行い、前記必要により積極的に解決の道を探求し、長い時間の努力、研究及び複数回の試験を経て、ようやく本考案を完成した。
【先行技術文献】
【特許文献】
【０００４】
【特許文献１】特開２０１８−５９３３２号公報
【特許文献２】実開昭５８−８９５６１号公報
【考案の概要】
【考案が解決しようとする課題】
【０００５】
本考案の目的は、サッシの耐風圧強度を向上・強化することにある。
【課題を解決するための手段】
【０００６】
上記の目的を達成するため、本考案のサッシ脱落防止キットは、アルミサッシのガイドブロックを収容する収容空間を設けると共に、サッシ脱落防止キットの方側上に延伸部材、延伸部材の上端に設置されるフック部材、フック部材内のフレームとの間に設置されるパッド及びローラ装置を備え、且つサッシ脱落防止キットには収容空間と連通する孔口及び溝を、それぞれガイドブロックの鎖合孔及びレール溝と対応して設け、該孔口とガイドブロックの鎖合孔とを挿通する部材によりサッシ脱落防止キットとガイドブロックをサッシに固定し、また、サッシ脱落防止キットの溝とガイドブロックのレール溝とはフレームのレールを挿通する。
【考案の効果】
【０００７】
本考案のサッシ脱落防止キットの利点は、
強風による風圧に対してフック部材によりフレームをフックしてサッシ脱落防止キットと固定したサッシを保持して、強風により吹き落とされることを回避することにあり、
また、ガイドブロックに対してフック部材を有するキット数を増設し、耐風圧効果を強化、向上することにある。
【図面の簡単な説明】
【０００８】
【図１】本考案のサッシ脱落防止キットの第１実施形態を示す図である。
【図２】本考案のサッシ脱落防止キットの第１実施形態の組み立て説明図である。
【図３】本考案のサッシ脱落防止キットの第２実施形態を示す図である。
【図４】本考案のサッシ脱落防止キットの第２実施形態の組み立て説明図である。
【図５】本考案のサッシ脱落防止キットの実施説明図（一）である。
【図６】本考案のサッシ脱落防止キットの実施説明図（二）である。
【考案を実施するための形態】
【０００９】
本考案の目的、効果、特徴及び構造を更に分かり易くする為、好適実施例を挙げ、図面を参照して以下に説明する。
【００１０】
先ず、図１及び図２を併せて参照する。
図１は、本考案のサッシ脱落防止キットの第１実施形態であり、図２は、本考案のサッシ脱落防止キットの第１実施形態の組み立て説明図である。
【００１１】
本考案のサッシ脱落防止キット１は、硬度が高いステンレール材質で形成され、アルミサッシのガイドブロック２を収容可能な収容空間１１を設けると共に、その一側に設置された延伸部材１２、及び延伸部材１２上端に設置されたフック部材１３を有し、該フック部材１３は、サッシが強風を受けた時にフレーム３にフックしてサッシを保持し（図５参照）、これによりサッシが強風に吹き落とされることを回避する。
また、フック部材１３内にサッシが滑動時にフック部材１３とフレーム３（図５参照）の摩擦で耳障りな音を発生することを回避するパッド１３１及び、更にサッシを円滑に移動させるローラ装置１３２をサッシとの間に設ける。
また、本考案のサッシ脱落防止キット１に収容空間１１と連通する孔口１４及び溝１５を設け、該孔口１４は、ガイドブロック２の鎖合孔２１と対応して、ガイドブロック２を収容空間１１に挿入させた後に該孔口１４を介して本考案のサッシ脱落防止キット及びガイドブロック２をサッシに固定する。
また、上記溝１５は、ガイドブロック２のレール溝２２と互いに対応して、サッシが窓枠レール上で滑動し易くするものである。
【００１２】
次に、図３及び図４を併せて参照する。
図３は、本考案のサッシ脱落防止キットの第２形態の説明図であり、図４は、本考案のサッシ脱落防止キットの第２形態のガイドブロックに対する組み立て説明図である。
【００１３】
図３及び図４は、本考案のサッシ脱落防止キット１の第２形態を示し、その外観は、ガイドブロック２の外形の違いに応じて変化するが、その構造は、第１形態と同じであり、何れもガイドブロック２を収容可能な収容空間１１を設けると共に、その一側に設置される延伸部材１２、延伸部材１２上端に設置されるフック部材１３を備え、フック部材１３内でサッシが滑動時にフック部材１３とフレーム３（図５参照）の摩擦が耳障りな音を発生することを回避するパッド１３１をフレームとの間に設け、
更に、サッシ脱落防止キット１には収容空間１１と連通する孔口１４及び溝１５を設けて、該孔口１４は、ガイドブロック２の鎖合孔２１と互いに対応し、また、該溝１５は、ガイドブロック２のレール溝２２と互いに対応して、第１形態と同じく、フック部材１３をフレーム３（図５参照）にフックしてサッシを保持することによってサッシが強風に吹き落とされることを防止する効果を達成する。
【００１４】
また本考案の形状は、ガイドブロック２の外形に応じて変化するが、孔口１４の数もガイドブロック２上の鎖合孔２１の数に従って決定される。
【００１５】
また、特筆すべきこととして、本考案のサッシ脱落防止キット１は、単独でサッシ上部に設置されるガイドブロック２又はサッシ底部に設置されるガイドブロック２に適用することができ、また、サッシ上部及び底部に設置されるガイドブロック２に対して同時に適用することもでき、上部及び底部のガイドブロック２を本考案のサッシ脱落防止キット内に取り付けることでサッシに最適な耐強風能力をもたせることもできる。
【００１６】
本考案の実施形態について、参考図を合わせて以下に説明する。
【００１７】
図５、図６に併せて図２を参照する。
図５は、本考案のサッシ脱落防止キットの実施説明図（一）であり、図６は、本考案のサッシ脱落防止キットの実施説明図（二）である。
【００１８】
本考案サッシ脱落防止キット１は、使用上、先ずガイドブロック２をサッシ脱落防止キット１内に挿入し、収容空間内部にガイドブロック２を収容する。
【００１９】
ガイドブロック２をサッシ脱落防止キットの収容空間内に挿入し、内部にガイドブロック２を取り付けたサッシ脱落防止キットをサッシに嵌め込み、固定部材をサッシ脱落防止キットの孔口１４及びガイドブロック２の鎖合孔２１に挿通させてサッシに固定する。
このようにして、サッシ脱落防止キットのフック部材１３がフレーム３の開口３１に確実にフックさせることができ、強い風圧に対するサッシの脱落防止効果を達成できる。
【００２０】
台風襲来時に室内と室外に顕著な正負圧力差が生じ、該圧力差がサッシを絶えず前後に引っ張り、一般にスライドレール及び仕切り板のみで固定されたサッシは、該圧力差により引き裂かれ易く、これに対して、本考案サッシ脱落防止キットは、フック部材１３によってサッシをフレーム３の開口３１にフックさせ、従って、サッシが圧力差の影響を受けて前後に引っ張られるとしても、フック部材１３は、依然としてフレーム３にフックしてサッシを保持し、サッシがフレーム３から引き落とされ難く、サッシの脱落防止の効果を達成し、また、ステンレール材料の高硬度の特性が外力の影響を受けて変形又は断裂し難く、従って、本考案のフック部材１３は、繰り返して前後の引っ張りを受けたとしても容易に断裂又は変形することがない。
【００２１】
本考案のサッシ脱落防止キットは、以下の利点を有する。
１．フック部材の構造は、サッシをフレームにフックさせ、サッシとフレームの間の隙間を減少させ、強風に抵抗して強風の強襲によってサッシの損壊させない効果を達成する。
２．フック部材内に設置するパッドは、フック部材及びフレームの直接の摩擦によって耳障りな音を発生することを回避し、且つローラ装置の設置は、サッシの移動操作を更に円滑にさせることができる。
【００２２】
故に、本考案は、同類製品に極めて良好な進歩性及び実用性を有し、同時に国内外のこの種の構造に関する技術資料を調査した後、本願出願前に確実に同じ又は類似する構造が確かにみられないので、本考案は、進歩性、産業利用可能性の要件に符合する。
【００２３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２４】
１  サッシ脱落防止キット
１１  収容空間
１２  延伸部材
１３  フック部材
１３１  パッド
１３２  ローラ装置
１４  孔口
１５  溝
２  ガイドブロック
２１  鎖合孔
２２  レール溝
３  フレーム
３１  開口
【図１】
0003217976.tif 000003
【図２】
0003217976.tif 000004
【図３】
0003217976.tif 000005
【図４】
0003217976.tif 000006
【図５】
0003217976.tif 000007
【図６】
0003217976.tif 000008